(57)【要約】【課題】作動条件の不均一性を解消する軸流タービン及び方法を提供する。【解決手段】それぞれが静翼１３と動翼１３ａとによって形成された複数の膨張段が設けられており、該膨張段に、膨張段２を通過する流れを収集しかつ該流れを排出するためのディフューザ４が続いている軸流タービンであって、膨張段２及び／又はディフューザが少なくとも非軸対称な部分を有している形式のものにおいて、少なくとも１つの膨張段の静翼１３が、タービンの周囲に沿ってそれぞれ異なる開口１７を形成している。【選択図】図２
2011058498.tif 000002
【特許請求の範囲】
【請求項１】
それぞれが静翼（１３）と動翼（１３ａ）とによって形成された複数の膨張段（２）が設けられており、該膨張段に、膨張段（２）を通過する流れを収集しかつ該流れを排出するためのディフューザ（４）が続いている軸流タービンであって、膨張段（２）及び／又はディフューザが少なくとも非軸対称な部分を有している形式のものにおいて、膨張段のうちの少なくとも１つの膨張段の静翼（１３）が、タービンの周囲に沿って様々な異なる開口（１７）を形成していることを特徴とする、軸流タービン。
【請求項２】
前記様々な異なる開口（１７）を形成する静翼（１３）が、ディフューザ（４）に隣接した段及び／又は抽出スリットの上流及び／又は下流の段の静翼である、請求項１記載の軸流タービン。
【請求項３】
前記様々な異なる開口（１７）を形成するために、前記静翼（１３）が、軸線方向（２１）と、開口（１７）に対して垂直な軸線（２３）との間に形成された様々な異なる角度（Ｂ）を有している、請求項２記載の軸流タービン。
【請求項４】
タービンの軸線方向（２１）と、開口（１７）に対して垂直な軸線（２３）との間の第１の角度（Ｂ１）を有する静翼の第１のグループ（３０）と、タービンの軸線方向（２１）と、開口（１７）に対して垂直な軸線（２３）との間の第２の角度（Ｂ２）を有する静翼の第２のグループ（３２）とを有している、請求項３記載の軸流タービン。
【請求項５】
前記静翼の第１のグループ（３０）が排気ディフューザ（４）の上部ゾーンに配置されており、前記静翼の第２のグループ（３２）が排気ディフューザ（４）の下部ゾーンに配置されており、第１の角度（Ｂ１）が第２の角度（Ｂ２）よりも小さく、第１のグループ（３０）の静翼の間の開口（１７）が、第２のグループ（３２）の静翼の間の開口（１７）よりも大きい、請求項４記載の軸流タービン。
【請求項６】
前記第１のグループ（３０）の静翼（１３）が、ディフューザ（４）の対称軸線（１９）に関して対称に配置されており、前記第２のグループの静翼が、ディフューザ（４）の同じ対称軸線（１９）に関して対称に配置されている、請求項５記載の軸流タービン。
【請求項７】
タービンの軸線方向（２１）と、開口（１７）に対する垂線（２３）との間に、前記第１の角度（Ｂ１）及び前記第２の角度（Ｂ２）とは異なりかつ第１の角度（Ｂ１）と第２の角度（Ｂ２）との間である角度（Ｂ３，Ｂ４）を有する静翼（１３）の第３のグループ（３４）が設けられている、請求項４記載の軸流タービン。
【請求項８】
前記タービンが蒸気タービンであり、前記流れが蒸気流である、請求項１記載の軸流タービン。
【請求項９】
複数の膨張段（２）を有しており、該膨張段に、該膨張段（２）を通過する流れを収集及び排出するためのディフューザ（４）が続いている軸流タービンから流れを排出する方法において、前記膨張段（２）及び／又はディフューザが、少なくとも１つの非軸対称の部分を有している方法において、静翼（１３）が、タービンの周囲に沿った角度位置に応じて、膨張段（２）において流れを様々に異なって駆動することを特徴とする、軸流タービンから流れを排出する方法。
【請求項１０】
ディフューザ（４）に隣接した膨張段及び／又は抽出スリットの上流及び／又は下流の膨張段においてのみ流れを様々に異なって駆動する、請求項９記載の方法。
【請求項１１】
排気ディフューザ（４）の上部ゾーンにおいて、同じ排気ディフューザ（４）の下部ゾーンよりも多い流れを駆動する、請求項１０記載の方法。
【請求項１２】
前記タービンが蒸気タービンであり、前記流れが蒸気流である、請求項９記載の方法。
【発明の詳細な説明】
【技術分野】
【０００１】
本発明は、軸流タービン及び軸流タービンから流れを排出するための方法に関し、この場合、タービンは蒸気タービンである。
【０００２】
特に、本発明は、排気ディフューザにおける仕事抽出及び流れに好ましく影響する、最後の段の案内翼及び／又は抽出スリットの上流及び／又は下流の段のための設計に関する。
【背景技術】
【０００３】
蒸気タービンは、静翼／動翼から形成された複数の膨張段を有するシリンダを有することが知られている。
【０００４】
各段の静翼は全て同じものであり、同じ幾何学的構成に配置されており（すなわち静翼は同じ食い違い角を有している等）、同じ案内翼を形成している。同様に、各段の動翼も全て同じであり、同じ幾何学的構成に配置されており（すなわち動翼はそれぞれ同じ食違い角を有している等）、それぞれ同じ通路を形成している。
【０００５】
膨張段の下流に、蒸気タービンは排気ディフューザを有しており、この排気ディフューザは、膨張段から流れてくる蒸気を収集し、通常（発電プラントの場合）この蒸気を凝縮器へ排出する。
【０００６】
排気ディフューザは、最後の膨張段から流れてくる蒸気を収集しかつこの蒸気を非軸対称の収集器へ供給する軸対称の部分から形成されており、ほぼ円形の上部ケーシング部分と、凝縮器ネックに接続された矩形の開口を備える下部排出ケーシング部分とを有している。
【０００７】
作動中、蒸気は、膨張段を通過し、機械的な動力を動翼（ひいては動翼に結合されたタービンシャフト）に供給する。
【０００８】
その後、最後の膨張段から流出した蒸気は排気ディフューザに入り、ここで蒸気は収集されて凝縮器へ排出される。
【０００９】
しかしながら、タービンの膨張段は軸対称であるが、排気ディフューザの収集器は軸対称でもなければ、膨張段と同じ方向にも延びていないので、排気ディフューザを通過する時、蒸気流は大きな周方向のゆがみを受ける。
【００１０】
これは、最後の膨張段における（特に周方向における）蒸気の作動条件に影響し、これにより、最後の膨張段において蒸気の作動条件が周方向で均一でなくなる。
【００１１】
さらに、流れの周方向ゆがみは、蒸気流内での不均一混合損失と、ばらつきのある圧力降下とを生じ、これらは、蒸気タービンの全体的な効率を悪化させる恐れがある。
【００１２】
同様の欠点が、例えば抽出スリットによって形成された、タービンの非軸対称な部分によっても生ぜしめられ、この場合、抽出スリットの上流及び下流を流過する蒸気が抽出スリットによって影響される。
【発明の概要】
【発明が解決しようとする課題】
【００１３】
したがって、本発明の課題は、排気ディフューザ及び／又は抽出スリットが設けられたタービン部分の非軸対称な構成によって生ぜしめられる流れの周方向ゆがみを解消する軸流タービン及び方法を提供することである。
【００１４】
この技術的課題の範囲において、発明の目的は、作動条件の不均一性を解消する軸流タービン及び方法を提供することである。
【００１５】
発明の別の目的は、蒸気流の（前記不均一性による）混合損失及び圧力降下が減じられかつ蒸気タービンの全体的な効率が高められる軸流タービン及び方法を提供することである。
【課題を解決するための手段】
【００１６】
技術的課題は、これらの目的及びその他の目的とともに、添付の請求の範囲に記載された軸流タービン及び方法を提供することによって本発明によって解決される。
【００１７】
発明のさらなる特徴及び利点は、添付の図面を参照して説明される、本発明による軸流タービン及び方法の、好適な、しかし限定的でない実施態様の説明からさらに明らかになるであろう。
【図面の簡単な説明】
【００１８】
【図１】蒸気タービンの概略図である。
【図２】排気ディフューザに隣接した膨張段を部分的に示す図である。
【図３】排気ディフューザの側方から見たタービンの概略的な正面図である。
【図４】タービン軸線と、案内翼の開口に対して垂直な軸線との間に規定された、静翼の食違い角の変更を示す図である。
【図５】各翼のハブからの距離に関して（すなわち半径方向に関して）図４の角度を示す図である。
【図６】ディフューザが結合されたタービンの端部を示す側面図である。
【発明を実施するための形態】
【００１９】
図面（特に図１）を参照すると、参照符号１で示された軸流タービンの全体が概略的に示されている。
【００２０】
タービン１は、蒸気タービンであり、複数の膨張段２を有しており、これらの膨張段において、蒸気発生器３によって発生された高圧及び高温の蒸気流が膨張させられ、機械的な動力を取り出す。
【００２１】
膨張段２の下流では、蒸気タービン１は排気ディフューザ４を有しており、この排気ディフューザ４は、膨張段２を通過する蒸気流を収集し、この蒸気をタービン軸線の方向とは異なる方向に沿って外部（凝縮器５内）へ排出する。
【００２２】
図３は、タービンのタービン軸線２１と軸線１９とを示している。タービン軸線２１に沿って蒸気流が膨張段２において移動し、軸線１９に沿って蒸気流は排気ディフューザ４において変向され、凝縮器５内へ排出される。
【００２３】
各膨張段は、静翼と動翼とによって形成されている。
【００２４】
静翼は、動翼キャリヤに固定されており、複数のブレード流れ案内翼を形成しており、この案内翼を蒸気流が通過する。
【００２５】
動翼は、動翼コアに組み付けられており、複数の通路を形成している（各通路は、２つの隣接する動翼の間に形成されている）。
【００２６】
ディフューザ４（図６）は、最後の膨張段９から流れてくる蒸気を収集する軸対称な部分７と、凝縮器５のネックに接続された非軸対称な収集器８とを有している。
【００２７】
非軸対称な収集器８は、ほぼ円形の若しくは湾曲したケーシングから形成された上側部分８ａと、下側の排出部分８ｂとを有しており、この下側の排出部分８ｂは、平坦な壁部を有しており、凝縮器５と連通した開口１０が設けられている。
【００２８】
図２は、静翼１３（この図では２つの静翼１３のみが示されている）と、静翼の下流における動翼１３ａ（この図では２つの動翼のみが示されている）とを有する最後の膨張段９（すなわちディフューザ４に隣接した膨張段）を示しており、矢印Ｆは蒸気流の全体的な方向を示している。
【００２９】
静翼１３は前縁１４と後縁１５とを有している。さらに、２つの隣接する静翼１３の各対は、案内翼１６を形成しており、この案内翼は、案内翼の最小の通過断面を規定する開口１７を有している。
【００３０】
有利には、膨張段のうちの１つの膨張段の静翼１３は、タービンの円周に沿って様々な異なる開口１７を形成している。
【００３１】
特に、図示したように、様々な異なる開口１７を規定する静翼１３は、ディフューザ４に隣接した段の静翼１３である。
【００３２】
このように、蒸気タービンは本発明による静翼１３を有している。これらの静翼１３の後には、（従来のタービンのように）全て同じ動翼１３ａが設けられており、動翼１３ａの下流において蒸気タービンはディフューザ４を有している。
【００３３】
図２において、参照符号２０は周方向を示しており、参照符号２１はタービン軸線を示している。
【００３４】
静翼１３は全て同じであるので、様々な異なる開口１７を形成するために、静翼１３は、タービン軸線２１と、開口１７に対して垂直な軸線２３との間に規定される様々な異なるゲージ角度Ｂを有している。
【００３５】
好適な実施形態において、排気ディフューザ４に隣接した段は、タービン軸線２１と軸線２３との間に第１の角度Ｂ１を有する静翼の第１のグループ３０と、タービン軸線２１と軸線２３との間に第２の角度Ｂ２を有する静翼の第２のグループ３２とを有しており、第１の角度Ｂ１は第２の角度Ｂ２とは異なっている。
【００３６】
特に、静翼１３の第１のグループ３０は排気ディフューザ４の上部ゾーンに位置しており、静翼の第２のグループ３２は排気ディフューザ４の下部ゾーンに位置しており、第１の角度Ｂ１は第２の角度Ｂ２よりも小さく、第１のグループ３０の静翼１３の間の開口１７は、第２のグループ３２の静翼１３の間の開口よりも大きい。
【００３７】
同様に、タービンのために予測された特定の設計及び作動条件によれば、異なる実施形態も可能であり、例えば、第１の角度Ｂ１は第２の角度Ｂ２よりも大きくてもよく、これにより、上部ゾーンにおける第１のグループ３０の静翼１３の間の開口１７は、第２のグループ３２（下部ゾーン）の静翼１３の間の開口よりも小さい。
【００３８】
さらに、第１のグループ３０の静翼１３は、軸線１９（すなわち排気ディフューザ４の対称軸線）に関して対称に配置されており、第２のグループ３２の静翼１３も、同じ軸線１９に関して対称に配置されている。
【００３９】
好適な構成において、本発明のタービンは、第１の角度Ｂ１及び第２の角度Ｂ２と異なる、タービン軸線２１と軸線２３との間の角度Ｂ３，Ｂ４…を有する静翼の第３のグループ３４をも有しており、この角度は、第１の角度Ｂ１と第２の角度Ｂ２との間である。第３のグループ３４の翼は、第１及び第２のグループ３０，３２の翼の間に配置されており、条件の急激な変化を回避するために、流れを調整する。
【００４０】
例えば、翼の第１のグループ３０は、全て同じ角度Ｂ１を有する翼を有しており、翼の第２のグループ３２は、全て同じ角度Ｂ２を有する翼を有しており、翼の第３のグループ３４は、角度Ｂ３，Ｂ４，Ｂ５を有する翼を有している。翼の第３のグループ３４は、翼の第１のグループ３０と第２のグループ３２との間の両方の移行ゾーンに配置されている。
【００４１】
図４は、水平軸線２５に対して成す角度Ａによって規定された周方向での角度Ｂの変化を概略的に示している（図３も参照）。
【００４２】
特に、０〜１８０の間に規定されたゾーンはタービンの上部であり、１８０〜３６０の間のゾーンはタービンの下部である。
【００４３】
この図は、従来の形式で（すなわち、全て同じ開口１７を備える静翼のために）計算された、タービン軸線２１と、開口１７に対する垂線２３との間の最適化された角度Ｂoptを規定するベースライン２６に関して示されている。図４の曲線２８及び２８ａは、この最適化された角度Ｂoptからの角度Ｂのずれを示している。
【００４４】
曲線２８は、角度Ｂ２よりも大きな角度Ｂ１を有する実施形態を示しており（すなわち開口１７は下部よりも上部において小さい）、曲線２８ａは、角度Ｂ２よりも小さな角度Ｂ１を有する実施形態を示している（すなわち開口１７は下部よりも上部において大きい）。
【００４５】
角度Ｂ１及びＢ２のずれは好適には同じである。
【００４６】
角度Ｂ１及びＢ２のずれは好適には２〜５°である。
【００４７】
図示のように、Ｂoptからの角度Ｂの全体的なずれはゼロである。
【００４８】
さらに、上部及び下部において角度Ｂが異なるので、上部と下部との間のゾーンは、角度Ｂが互いに合致するように角度Ｂを有している。
【００４９】
これに関して、周方向角度０（及び３６０）及び１８０をはさんだゾーンにおいて、曲線２８及び２８ａは、角度Ｂが第１及び第２の角度Ｂ１，Ｂ２とは異なるが第１の角度と第２の角度との間の値を有している（これは静翼の第３のグループ３４である）ことを示している。
【００５０】
図５は、各翼のための角度Ｂを示している。特に、図５は、ベースライン２６と、角度Ｂ１及びＢ２に対応する２つのラインを示している。角度Ｂ３，Ｂ４，Ｂ５は、Ｂ１とＢ２との間である。
【００５１】
本発明は、排気ディフューザを特に引用して説明されたが、抽出スリットの上流及び／又は下流に配置された静翼も、前述のように食違い角を変更させられてよい（抽出スリットは、段から蒸気を抽出するために使用される）。
【００５２】
本発明の軸流タービンの運転は、説明及び例示されたものから明らかであり、実質的に以下の通りである。
【００５３】
蒸気発生器３によって発生された蒸気流は、膨張段２に流入し、動翼に機械的動力を供給する。
【００５４】
以下で、下部よりも上部においてより大きな開口１７を備える好適な実施形態が引用される。
【００５５】
最後の段９（排気ディフューザ４の上流の段）において、蒸気流は、より大きな流量がディフューザ４の上部（すなわちディフューザ４の開口１０の近く）に向かって駆動されるように逸らされ、より少ない蒸気流量がディフューザの下部（すなわちディフューザ４の収集ゾーン７の近く）に向かって駆動されるように逸らされる。
【００５６】
この蒸気流分配により、より均一な運転条件が達成され、ディフューザにおける混合損失及び圧力降下が低減され、全体的な効率が高まる。
【００５７】
本発明は、複数の膨張段を有していてこれらの膨張段の後に膨張段を通過する流れを収集及び排出するためのディフューザが設けられている軸流タービンから流れを排出する方法にも関し、この方法において、膨張段２及び／又は排気ディフューザ４は少なくとも非軸対称の部分を有している。
【００５８】
この方法は、タービンの周囲に沿った角度位置若しくは周方向位置に従って膨張段内の流れを異なって駆動することを含む。
【００５９】
特に、この発明によれば、ディフューザ４の上流及び／又は抽出スリットの上流及び／又は下流での膨張段における流れのみが異なって駆動され、静翼のみが流れを異なって駆動する（すなわち動翼は駆動しない）。
【００６０】
実際には、使用される材料及び寸法は、条件及び技術水準に従って意志で選択することができる。
【符号の説明】
【００６１】
１  蒸気タービン、  ２  膨張段、  ３  蒸気発生器、  ４  排気ディフューザ、  ５  凝縮器、  ７  排気ディフューザの軸対称の部分、  ８  非軸対称の収集器、  ８ａ  排気ディフューザの非軸対称の収集器の上部、  ８ｂ  排気ディフューザの非軸対称の収集器の下部排出部、  ９  最後の膨張段、  １０  開口、  １３  静翼、  １３ａ  動翼、  １４  前縁、  １５  後縁、  １６  案内翼、  １７  開口、  １９  排気ディフューザの対称軸線、  ２０  周方向、  ２１  タービン軸線、  ２３  開口に対して垂直な軸線、  ２５  軸線１９に対して垂直な水平軸線、  ２６  ベースライン、  ２８  Ｂのずれ、  ２８ａ  Ｂのずれ、  ３０  静翼の第１のグループ、  ３２  静翼の第２のグループ、  ３４  静翼の第３のグループ、  Ａ  水平軸線２５と一般的な半径方向軸線との間の角度、  Ｂ  タービン軸線と開口に対して垂直な軸線との間の角度、  Ｆ  蒸気流の全体的な方向
【図１】
2011058498.tif 000003
【図２】
2011058498.tif 000004
【図３】
2011058498.tif 000005
【図４】
2011058498.tif 000006
【図５】
2011058498.tif 000007
【図６】
2011058498.tif 000008
【外国語明細書】
2011058498.tif 000009
2011058498.tif 000010
2011058498.tif 000011
2011058498.tif 000012
2011058498.tif 000013
2011058498.tif 000014
2011058498.tif 000015
2011058498.tif 000016
2011058498.tif 000017
2011058498.tif 000018
2011058498.tif 000019
2011058498.tif 000020
2011058498.tif 000021
2011058498.tif 000022
2011058498.tif 000023
2011058498.tif 000024
2011058498.tif 000025
2011058498.tif 000026
2011058498.tif 000027
2011058498.tif 000028
2011058498.tif 000029
2011058498.tif 000030